(57)【要約】      （修正有）【課題】任意の位置で仕切ることができる仕切り部を有する箱用シートを提供する。【解決手段】箱用シートは、底面パネル１０と、底面パネルの対向する一対の第１側縁から延出し、上方に折り曲げられる第１側面パネル１１と、底面パネルの対向する一対の第２側縁から延出し、上方に折り曲げられる第２側面パネルと、第２側面パネルの先端縁から延出し、底面パネルと平行に折り曲げられる一対の接続パネルと、接続パネルの先端縁から延出し、第２側面パネルの内面側に折り返される一対の折り返しパネルと、一方の折り返しパネルの先端縁から延出する仕切用パネル１６とを備え、仕切用パネルが、底面パネルの上面に配置される中敷部１６ａと、折り曲げ予定線１６ｂ、ｅを介して中敷部の先端側に連続し、上方に折り曲げられる仕切部１６ｃとを有し、折り曲げ予定線が、仕切用パネルの任意の位置に設定可能である。【選択図】図２
0003227262.tif 000002
【実用新案登録請求の範囲】
【請求項１】
１枚のシート材から形成され、箱体に組み立て可能な箱用シートであって、
略方形状の底面パネルと、
上記底面パネルの対向する一対の第１側縁から延出し、上方に折り曲げられる一対の第１側面パネルと、
上記一対の第１側面パネルの幅方向両側の側縁から延出する各一対の折り込み片と、
上記底面パネルの対向する一対の第２側縁から延出し、上方に折り曲げられる一対の第２側面パネルと、
上記一対の第２側面パネルの先端縁から延出し、上記底面パネルと平行に折り曲げられる一対の接続パネルと、
上記一対の接続パネルの先端縁から延出し、上記折り込み片を上記第２側面パネルとの間に挟み込んだ状態で上記第２側面パネルの内面側に折り返される一対の折り返しパネルと、
上記一対の折り返しパネルのうち、一方の折り返しパネルの先端縁から延出する仕切用パネルと
を備え、
上記仕切用パネルが、
上記底面パネルの上面に配置される中敷部と、
折り曲げ予定線を介して上記中敷部の先端側に連続し、上方に折り曲げられる仕切部と
を有し、
上記折り曲げ予定線が、上記仕切用パネルの任意の位置に設定可能である箱用シート。
【請求項２】
第１側面パネルの先端縁に他のパネルを介して連続する仕切用パネルを備えない請求項１に記載の箱用シート。
【請求項３】
上記仕切用パネルが、その先端からの距離が上記折り返しパネルの延出方向長さと等しい位置に、上記仕切用パネルの幅方向に沿った切断線又は切断容易線を有する請求項１又は請求項２に記載の箱用シート。
【請求項４】
上記仕切用パネルが、その先端の角部に方形状の切り欠きを有し、
上記切り欠きの１辺が、上記仕切用パネルの幅方向に沿っている請求項１又は請求項２に記載の箱用シート。
【請求項５】
上記シート材が段ボールシートであり、
上記段ボールシートの中芯の稜線が、上記仕切部の幅方向に配向されている請求項１から請求項４のいずれか１項に記載の箱用シート。
【考案の詳細な説明】
【技術分野】
【０００１】
本考案は、箱用シートに関する。
【背景技術】
【０００２】
物品の保管、運搬用ケースとして、略方形状の底板及びこの底板の側縁から立設される
４つの側板を備え、段ボールシート等のシート材から組み立てられる箱体が用いられている。
【０００３】
上記箱体内には複数の物品を区分して収容すべく仕切りが配置される場合がある。例えば上記物品が、イチゴやサクランボといったような野菜類を収容したパック品である場合、上記箱体には仕切りが設けられる。この仕切りとしては、一枚のブランクシートを、所要の折線に沿って折り曲げ組み立てることによって、箱体と一体的に形成されたものがある（例えば特開２００６−５１９６３号公報参照）。
【先行技術文献】
【特許文献】
【０００４】
【特許文献１】特開２００６−５１９６３号公報
【考案の概要】
【考案が解決しようとする課題】
【０００５】
一方、箱体内に複数の物品を収容する場合、物品の組み合わせ等によって、各区分のスペースを調整することが必要となる場合がある。上記従来の箱体では、仕切部が固定されて形成されるため、物品の組み合わせごとに異なる箱体を設計する必要がある。
【０００６】
本考案は、このような事情に鑑みてなされたものであり、任意の位置で仕切ることができる仕切部を有する箱用シートの提供を課題とする。
【課題を解決するための手段】
【０００７】
本考案の一態様に係る箱用シートは、１枚のシート材から形成され、箱体に組み立て可能な箱用シートであって、略方形状の底面パネルと、上記底面パネルの対向する一対の第１側縁から延出し、上方に折り曲げられる一対の第１側面パネルと、上記一対の第１側面パネルの幅方向両側の側縁から延出する各一対の折り込み片と、上記底面パネルの対向する一対の第２側縁から延出し、上方に折り曲げられる一対の第２側面パネルと、上記一対の第２側面パネルの先端縁から延出し、上記底面パネルと平行に折り曲げられる一対の接続パネルと、上記一対の接続パネルの先端縁から延出し、上記折り込み片を上記第２側面パネルとの間に挟み込んだ状態で上記第２側面パネルの内面側に折り返される一対の折り返しパネルと、上記一対の折り返しパネルのうち、一方の折り返しパネルの先端縁から延出する仕切用パネルとを備え、上記仕切用パネルが、上記底面パネルの上面に配置される中敷部と、折り曲げ予定線を介して上記中敷部の先端側に連続し、上方に折り曲げられる仕切部とを有し、上記折り曲げ予定線が、上記仕切用パネルの任意の位置に設定可能である。
【考案の効果】
【０００８】
本考案の箱用シートの仕切部は、箱体内を任意の位置で仕切ることができる。
【図面の簡単な説明】
【０００９】
【図１】図１は、本考案の一態様に係る箱用シートを示す模式的平面図（展開図）である。
【図２】図２は、図１の箱用シートを組み立てて得られる箱体を示す模式的斜視図である。
【図３】図３は、図１の箱用シートの係合片を示す模式的拡大平面図である。
【図４】図４は、図１とは異なる本考案の一態様に係る箱用シートを示す模式的平面図（展開図）である。
【図５】図５は、図４の箱用シートを組み立てて得られる箱体を示す模式的斜視図である。
【考案を実施するための形態】
【００１０】
［本考案の実施形態の説明］
最初に本考案の実施態様を列記して説明する。
【００１１】
本考案の一態様に係る箱用シートは、１枚のシート材から形成され、箱体に組み立て可能な箱用シートであって、略方形状の底面パネルと、上記底面パネルの対向する一対の第１側縁から延出し、上方に折り曲げられる一対の第１側面パネルと、上記一対の第１側面パネルの幅方向両側の側縁から延出する各一対の折り込み片と、上記底面パネルの対向する一対の第２側縁から延出し、上方に折り曲げられる一対の第２側面パネルと、上記一対の第２側面パネルの先端縁から延出し、上記底面パネルと平行に折り曲げられる一対の接続パネルと、上記一対の接続パネルの先端縁から延出し、上記折り込み片を上記第２側面パネルとの間に挟み込んだ状態で上記第２側面パネルの内面側に折り返される一対の折り返しパネルと、上記一対の折り返しパネルのうち、一方の折り返しパネルの先端縁から延出する仕切用パネルとを備え、上記仕切用パネルが、上記底面パネルの上面に配置される中敷部と、折り曲げ予定線を介して上記中敷部の先端側に連続し、上方に折り曲げられる仕切部とを有し、上記折り曲げ予定線が、上記仕切用パネルの任意の位置に設定可能である。
【００１２】
当該箱用シートは、仕切用パネルの中敷部が底面パネルの上面に配置され、その先端に連続する仕切部を上方に折り曲げることで箱体の中に仕切りを設けることができる。また、当該箱用シートでは、上記仕切部を上方へ折り曲げる際の折り曲げ予定線を仕切用パネルの任意の位置に設定できる。つまり、当該箱用シートでは、仕切用パネルの任意の位置で上記仕切部を上方へ折り曲げることができる。
【００１３】
第１側面パネルの先端縁に他のパネルを介して連続する仕切用パネルを備えないとよい。このように第１側面パネルの先端縁に他のパネルを介して連続する仕切用パネルを設けないことで、複数の仕切部が互いに干渉することを抑止し、仕切部により任意の位置で仕切り易くすることができる。
【００１４】
上記仕切用パネルが、その先端からの距離が上記折り返しパネルの延出方向長さと等しい位置に、上記仕切用パネルの幅方向に沿った切断線又は切断容易線を有するとよい。この切断線又は切断容易線を含む折り曲げ予定線に沿って折り曲げると、第１側面パネルと同じ高さまでの仕切りを設けることができる。また、上記切断線又は切断容易線を有することで、この位置で折り曲げ易くなるので、第１側面パネルと同じ高さまでの仕切りを有する箱体を組み立て易い。
【００１５】
上記仕切用パネルが、その先端の角部に方形状の切り欠きを有し、上記切り欠きの１辺が、上記仕切用パネルの幅方向に沿っているとよい。このような切り欠きを設けることで、上記１辺に沿って折り曲げ易くなるので、上記１辺の位置に折り曲げ予定線を有する箱体を組み立て易い。
【００１６】
上記シート材が段ボールシートであり、上記段ボールシートの中芯の稜線が、上記仕切部の幅方向に配向されているとよい。段ボールシートは、中芯の稜線に沿って折り曲げ易いので、所望の位置に仕切りを有する箱体を組み立て易い。
【００１７】
なお、本考案において、「上」及び「下」とは、箱用シートを組み立ててなる箱体の想定される一般的な使用態様における上下を意味するが、上記箱体の使用時の向きを制限することを企図するものではない。また、「内」及び「外」は、それぞれ箱体の内側及び外側を指す。また、「略方形状」とは、完全な方形に限らず、部分的に切欠きや凹凸を有する形状を含む。
【００１８】
［本考案の実施形態の詳細］
以下、本考案の実施形態に係る箱用シートについて適宜図面を参照しつつ説明する。
【００１９】
〔第１実施形態〕
図１に示す箱用シート１は、１枚のシート材から形成され、図２に示す箱体６に組み立て可能な箱用シートである。なお、図１において、太い実線はシートを切断して形成される切断線を示し、細い実線はシートの片面を筋押しして形成される罫線を示す。
【００２０】
当該箱用シート１のシート材は、段ボールシートである。当該箱用シート１を形成する段ボールは、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２１】
当該箱用シート１は、略方形状の底面パネル１０と、底面パネル１０の対向する一対の第１側縁１０ａから延出し、上方に折り曲げられる一対の第１側面パネル１１と、一対の第１側面パネル１１の幅方向両側の側縁から延出する各一対の折り込み片１２と、底面パネル１０の対向する一対の第２側縁１０ｂから延出し、上方に折り曲げられる一対の第２側面パネル１３と、一対の第２側面パネル１３の先端縁から延出し、底面パネル１０と平行に折り曲げられる一対の接続パネル１４と、一対の接続パネル１４の先端縁から延出し、折り込み片１２を第２側面パネル１３との間に挟み込んだ状態で第２側面パネル１３の内面側に折り返される一対の折り返しパネル１５と、一対の折り返しパネル１５のうち、一方の折り返しパネル１５の先端縁から延出する仕切用パネル１６とを備える。
【００２２】
また、当該箱用シート１は、一対の第１側面パネル１１のうち、一方の第１側面パネル１１の先端縁から延出し、組立て状態で一対の第１側面パネル１１及び第２側面パネル１３の上端を封止する方形状の蓋パネル１７と、蓋パネル１７の先端縁から延出し、組立て状態で他方の第１側面パネル１１の内面側に沿って配置される第１差込片１８と、蓋パネル１７の幅方向両側の側縁から延出し、組立て状態で一対の折り返しパネル１５の内面側に沿って配置される一対の第２差込片１９とを備える。
【００２３】
＜底面パネル＞
底面パネル１０は、略方形状であり、具体的には長方形状である。底面パネル１０は、図１に示すように、長手方向に延びる一対の第１側縁１０ａと、一対の第１側縁１０ａと垂直な短手方向に延びる一対の第２側縁１０ｂとを有する。底面パネル１０は、長手方向の両端部に一対の孔１０ｃを有する。孔１０ｃは、第２側面パネル１３の基端縁を一端として第２側縁１０ｂの中央部に設けられている。
【００２４】
＜第１側面パネル＞
第１側面パネル１１は、延出方向長さに対して幅が大きい略長方形状である。第１側面パネル１１の幅は、第１側縁１０ａの長さと略等しい。
【００２５】
＜折り込み片＞
折り込み片１２は、略長方形状とできるが、図１に示すように延出方向の先端側が縮幅していてもよい。折り込み片１２の延出方向長さは、第２側面パネル１３と折り返しパネル１５との間に挟み込まれた際に、互いに干渉しないように第２側面パネル１３の幅の１／２以下とされる。一方、折り込み片１２の延出方向長さは、箱体６における折り込み片１２を安定して保持する観点から第２側面パネル１３の幅の１／５以上とすることが好ましい。
【００２６】
＜第２側面パネル＞
第２側面パネル１３は、延出方向長さに対して幅が大きい略長方形状である。第２側面パネル１３の幅は、第２側縁１０ｂの長さと略等しい。また、第２側面パネル１３の延出方向長さは、第１側面パネル１１の延出方向長さと略等しい。
【００２７】
＜接続パネル＞
接続パネル１４は、第２側面パネル１３と同一幅で、第２側面パネル１３の先端縁の全領域から延出している。接続パネル１４は、延出方向長さに対して幅が大きい略長方形状である。接続パネル１４の延出方向長さは、折り込み片１２を第２側面パネル１３と折り返しパネル１５との間に挟み込めるようシート厚さの２倍以上とすることができ、例えば１０ｍｍ以上１５ｍｍ以下とされる。
【００２８】
接続パネル１４は、図１に示すように、先端に向かうに従ってわずかに幅が狭くなる台形状としてもよい。接続パネル１４をこのような形状とすることで、当該箱用シート１を箱体６に組立てる際に第１側面パネル１１等と干渉し難くなるため、箱体６を組立て易い。なお、幅を狭くする大きさとしては、例えば片側につきシート厚程度とすることができる。
【００２９】
＜折り返しパネル＞
折り返しパネル１５は、接続パネル１４と同一幅で、接続パネル１４の先端縁の全領域から延出している。折り返しパネル１５は、延出方向長さに対して幅が大きい略長方形状である。折り返しパネル１５の延出方向長さは、第２側面パネル１３の延出方向長さと略等しい。
【００３０】
折り返しパネル１５は、先端縁に底面パネル１０の孔１０ｃに挿入される突片１５ｃを有する。突片１５ｃは、幅に対して延出方向長さが小さい長方形状である。突片１５ｃの
延出方向長さはシート厚さ程度とすることができる。この突片１５ｃを孔１０ｃに挿入することで、折り返しパネル１５とともに仕切用パネル１６の位置ずれを防止することができる。
【００３１】
＜仕切用パネル＞
仕切用パネル１６は、略方形状であり、折り返しパネル１５と同一幅又はわずかに狭い幅で、折り返しパネル１５の先端縁から延出している。仕切用パネル１６の幅を折り返しパネル１５より狭い幅とする場合、その差はシート厚程度とすることができる。
【００３２】
また、仕切用パネル１６の延出方向長さは、後述する仕切部１６ｃの位置を設けたい位置を考慮して適宜決定される。
【００３３】
当該箱用シート１では、段ボールシートの中芯の稜線が、仕切部１６ｃの幅方向に配向されている。段ボールシートは、中芯の稜線に沿って折り曲げ易いので、所望の位置に仕切部１６ｃを有する箱体を組み立て易い。
【００３４】
仕切用パネル１６は、図２に示すように、底面パネル１０の上面に配置される中敷部１６ａと、折り曲げ予定線１６ｂを介して中敷部１６ａの先端側に連続し、上方に折り曲げられる仕切部１６ｃとを有する。ここで、当該箱用シート１では、折り曲げ予定線１６ｂは、段ボールシートの中芯の稜線によって定められる。
【００３５】
仕切用パネル１６は、図１に示すように、その先端からの距離（図１の距離Ｌ１）が折り返しパネル１５の延出方向長さと等しい位置に、仕切用パネル１４の幅方向に沿った切断容易線１６ｄを有するとよい。図２の折り曲げ予定線１６ｂは、切断容易線１６ｄを含む。この切断容易線１６ｄを含む折り曲げ予定線１６ｂに沿って折り曲げると、第１側面パネル１１と同じ高さまでの仕切りを設けることができる。また、切断容易線１６ｄを有することで、この位置で折り曲げ易くなるので、第１側面パネル１１と同じ高さまでの仕切りを有する箱体を組み立て易い。また、切断容易線１６ｄに代えて切断線で構成しても同様の効果を奏する。
【００３６】
切断容易線１６ｄは、図１に示すように、仕切用パネル１６の側縁から設けられるとよい。また、図１に示すように、切断容易線１６ｄの上記側縁から遠い側の端縁から仕切用パネル１６の先端縁まで至る罫線が設けられているとよい。この構成によれば、切断容易線１６ｄを裁断し、上記罫線で折り曲げることで、新たな仕切りを設けることができる。
【００３７】
当該箱用シート１では、折り曲げ予定線１６ｂは仕切用パネル１６の任意の位置に設定可能である。つまり、当該箱用シート１では、図２で折り曲げられて示されている折り曲げ予定線１６ｂとは異なる位置、例えば図２に示す他の折り曲げ予定線１６ｅに設定することもできる。この場合は、図２で折り曲げられて示されている折り曲げ予定線１６ｂに代えて、他の折り曲げ予定線１６ｅで折り曲げることで、仕切部１６ｃの位置を変えることができる。
【００３８】
また、第１側面パネル１１の先端縁に他のパネルを介して連続する仕切用パネル１６を備えないとよい。このように第１側面パネル１１の先端縁に他のパネルを介して連続する仕切用パネル１６を設けないことで、複数の仕切部１６ｃが互いに干渉することを抑止し、仕切部１６ｃにより任意の位置で仕切り易くすることができる。
【００３９】
＜蓋パネル＞
蓋パネル１７は、略長方形状であり、その幅が第１側面パネル１１の幅と略等しく、その延出方向長さが第２側面パネル１３の幅と略等しい。より詳しくは、蓋パネル１７の幅は、後述する第２差込片１９を折り返しパネル１５の内側に挿入できるように、第１側面パネル１１の幅よりもわずかに小さいことが好ましい。また、蓋パネル１７の延長方向長さは、後述する第１差込片１８を第１側面パネル１１の内側に挿入できるように、第２側面パネル１３の幅よりもわずかに小さいことが好ましい。
【００４０】
＜第１差込片及び第２差込片＞
第１差込片１８及び第２差込片１９は、当該箱用シート１を組立ててなる箱体６の第１側面パネル１１又は折り返しパネル１５の内面に沿うように挿入され、第１側面パネル１１及び折り返しパネル１５との間の摩擦により蓋パネル１７で封函した状態に箱体６を保持する。
【００４１】
この第１差込片１８及び第２差込片１９は、封函時に箱体６に差し込み易くするために、先端縁と両側縁との角が面取りされている平面形状又は先端に向かって幅が狭くなる台形状とすることが好ましい。図１の箱用シート１では、第１差込片１８が面取りされている平面形状とされ、第２差込片１９が台形状とされているが、第１差込片１８及び第２差込片１９にはいずれの形状を採用してもよい。
【００４２】
＜その他＞
当該箱用シート１は、図１に示すように、第１差込片１８の基端縁を一端とする係合孔１８ａと、一対の第１側面パネル１１のうち、他方の第１側面パネル１１の先端縁からその一部が突出するように設けられ、この係合孔１８ａと係合する係合片２０と、一対の折り返しパネル１５のうち、他方の折り返しパネル１５の一方の側縁から突出して設けられる緩衝片２１とを備えてもよい。
【００４３】
（係合孔及び係合片）
係合孔１８ａは、第１差込片１８の基端縁つまり蓋パネル１７との境界線を一端として第１差込片１８の中央部に設けられている。
【００４４】
係合片２０は、略長方形状であり、図１に示すように、第１側面パネル１１の先端縁より内側に設けられる基端部２０ａと、第１側面パネル１１の先端縁より突出して設けられる先端部２０ｂとを有する。
【００４５】
基端部２０ａは、図３に示すように、その両側の側縁２０ｃが切断線で構成され、基端部２０ａの基端縁２０ｄは下方へ容易に折り曲げられるように折り曲げ容易線で構成されている。また、基端部２０ａと先端部２０ｂとの境界２０ｅは、先端部２０ｂを上方へ折り曲げられる折り曲げ容易線で画定されており、この折り曲げ容易線は第１側面パネル１１の先端縁１１ａと一直線をなす。さらに、先端部２０ｂは、先端縁と両側縁との角２０ｆが面取りされている平面形状とされる。以上の構成により、係合片２０は、箱体６に組み上げられた際、図２に示すように、先端部２０ｂが基端部２０ａに対して直角に上方へ折り曲げられており、基端部２０ａを第１側面パネル１１と平行とすることで、先端部２０ｂが係合孔１８ａに係合し、蓋パネル１７で封函した状態に箱体６を保持する。一方、基端部２０ａを第１側面パネル１１に対して外側に折り曲げることで、先端部２０ｂが係合孔１８ａから外れ、蓋パネル１７を開封可能な状態とする。
【００４６】
（緩衝片）
緩衝片２１の境界２１ａは、図１に示すように、第２側面パネル１３の幅方向内側（第２側面パネル１３の一対の側縁の延長線間）に位置する。この境界２１ａは、折り曲げ容易線で構成され、箱体６に組立てる際に、図２に示すように、緩衝片２１の先端縁が第１側面パネル１１に当接するように折り曲げられる。この緩衝片２１は、第１側面パネル１１及び第２側面パネル１３が当接する角部に、収納された物品が位置することを抑止する。上記角部は、例えば箱体６が落下した際に強い衝撃を受けやすい位置であり、収納された物体が上記角部に位置させないことで、上記物品の破損を抑止できる。
【００４７】
＜箱体の組立＞
当該箱用シート１を用いた箱体６は、以下の手順で組み立てることができる。
【００４８】
まず、一対の第１側面パネル１１を上方へ折り曲げる。次に、一対の折り込み片１２を第１側面パネル１１に対する角度が略９０度となるように内側へ折り曲げる。このとき、折り込み片１２は、第２側縁１０ｂに沿うように位置する。
【００４９】
次に、第２側面パネル１３を上方へ折り曲げる。続けて接続パネル１４を底面パネル１０と平行となるように折り曲げ、折り返しパネル１５を第２側面パネル１３の内面側に折り返す。このとき、折り込み片１２を第２側面パネル１３と折り返しパネル１５との間に挟み込む。また、仕切用パネル１６は底面パネル１０の上面に沿うように折り曲げつつ、折り返しパネル１５の突片１５ｃを底面パネル１０の孔１０ｃに嵌め込む。緩衝片２１は、その先端縁が第１側面パネル１１に当接するように折り曲げられる。
【００５０】
仕切用パネル１６の先端部分である仕切部１６ｃは、所望の位置（図２では切断線容易線１６ｄに沿った折り曲げ予定線１６ｂ）で上方へ折り曲げられ、仕切りを構成する。仕切部１６ｃを折り曲げる位置は、図２に示す他の折り曲げ容易線１６ｄであってもよい。この場合は仕切部１６ｃの延出方向長さが箱体６の高さを超えるため、仕切部１６ｃは斜め上方へ（中敷部１６ａを基準とした仕切部１６ｃの角度が鈍角となるように）折り曲げられることとなる。
【００５１】
仕切部１６ｃを利用して物品を収納した後、蓋パネル１７により封緘する。具体的には、第１差込片１８及び第２差込片１９を折り曲げ、第１側面パネル１１又は折り返しパネル１５の内面に沿うように挿入する。その後、係合片２０の先端部２０ｂを係合孔１８ａに差し込み、蓋パネル１７で封函した状態に箱体６を保持する。
【００５２】
＜利点＞
当該箱用シート１は、仕切用パネル１６の中敷部１６ａが底面パネル１０の上面に配置され、その先端に連続する仕切部１６ｃを上方に折り曲げることで箱体６の中に仕切りを設けることができる。また、当該箱用シート１では、仕切部１６ｃを上方へ折り曲げる際の折り曲げ予定線１６ｂを仕切用パネル１６の任意の位置に設定できる。つまり、当該箱用シート１では、仕切用パネル１６の任意の位置で仕切部１６ｃを上方へ折り曲げることができる。
【００５３】
〔第２実施形態〕
図４に示す箱用シート２は、１枚のシート材から形成され、図５に示す箱体７に組み立て可能な箱用シートである。当該箱用シート２のシート材は、図１の箱用シート１と同様に段ボールシートである。
【００５４】
当該箱用シート２は、略方形状の底面パネル１０と、底面パネル１０の対向する一対の第１側縁１０ａから延出し、上方に折り曲げられる一対の第１側面パネル１１と、一対の第１側面パネル１１の幅方向両側の側縁から延出する各一対の折り込み片１２と、底面パネル１０の対向する一対の第２側縁１０ｂから延出し、上方に折り曲げられる一対の第２側面パネル１３と、一対の第２側面パネル１３の先端縁から延出し、底面パネル１０と平行に折り曲げられる一対の接続パネル１４と、一対の接続パネル１４の先端縁から延出し、折り込み片１２を第２側面パネル１３との間に挟み込んだ状態で第２側面パネル１３の内面側に折り返される一対の折り返しパネル１５と、一対の折り返しパネル１５のうち、一方の折り返しパネル１５の先端縁から延出する第１仕切用パネル２２と、他方の折り返しパネル１５の一方の側縁から延出する第２仕切用パネル２３とを備える。
【００５５】
また、当該箱用シート２は、一対の第１側面パネル１１のうち、一方の第１側面パネル１１の先端縁から延出し、組立て状態で一対の第１側面パネル１１及び第２側面パネル１３の上端を封止する方形状の蓋パネル１７と、蓋パネル１７の先端縁から延出し、組立て状態で他方の第１側面パネル１１の内面側に沿って配置される第１差込片１８と、蓋パネル１７の幅方向両側の側縁から延出し、一対の折り返しパネル１５の内面側に沿って配置される一対の第２差込片１９とを備える。
【００５６】
当該箱用シート２の底面パネル１０、第１側面パネル１１、折り込み片１２、第２側面パネル１３、接続パネル１４、折り返しパネル１５、蓋パネル１７、第１差込片１８、第２差込片１９及び係合片２０は、図１の箱用シート１のものと同様に構成できるので、同一符号を付して詳細説明を省略する。
【００５７】
＜仕切用パネル＞
第１仕切用パネル２２は、図５に示すように、底面パネル１０の上面に配置される中敷部２２ａと、折り曲げ予定線２２ｂを介して中敷部２２ａの先端側に連続し、上方に折り曲げられる仕切部２２ｃとを有する。また、第１仕切用パネル２２は、図４に示すように、その先端の角部に方形状の切り欠き２２ｄを有する。
【００５８】
当該箱用シート２では、折り曲げ予定線２２ｂは第１仕切用パネル２２の任意の位置に設定可能である。つまり、当該箱用シート２では、図５で折り曲げられて示されている折り曲げ予定線２２ｂとは異なる位置、例えば図５に示す他の折り曲げ予定線２２ｅに設定することもできる。この場合は、図５で折り曲げられて示されている折り曲げ予定線２２ｂに代えて、他の折り曲げ予定線２２ｅで折り曲げることで、仕切り２２ｃの位置を変えることができる。
【００５９】
切り欠き２２ｄの１辺２２ｆは、図４に示すように、第１仕切用パネル２２の幅方向に沿っている。また、切り欠き２２ｄの他の辺２２ｇは、第１仕切用パネル２２の延出方向に沿っている。つまり、切り欠き２２ｄの１辺２２ｆと他の辺２２ｇとは直交している。
【００６０】
また、箱体７の組立状態で、切り欠き２２ｄの１辺２２ｆは、後述する第２仕切用パネル２３の第２仕切部２３ｂに当接し、切り欠き２２ｄの他の辺２２ｇは、第２仕切用パネル２３の第１仕切部２３ａに当接するように設けられている。このように切り欠き２２ｄが第２仕切用パネル２３に当接するように設けることで、仕切部２２ｃの位置を変えることを可能としつつ、仕切用パネル１６の位置ずれを防止することができる。
【００６１】
上述の点を除き、第１仕切用パネル２２は、第１実施形態の仕切用パネル１６と同様に構成できるので、他の説明を省略する。
【００６２】
第２仕切用パネル２３は、図４に示すように、他方の第２側面パネル１３の一方の側縁から突出して設けられる第１仕切部２３ａと、第１仕切部２３ａの先端から延出する第２仕切部２３ｂとを有する。
【００６３】
第１仕切部２３ａの基端縁は、図４に示すように、第２側面パネル１３の幅方向内側（第２側面パネル１３の一対の側縁の延長線間）に位置する。第１仕切部２３ａの基端縁と第２側面パネル１３の側縁との離間距離（図４の距離Ｌ２）は、第２仕切部２３ｂの延出方向距離と略等しい。このように第２仕切部２３ｂの延出方向距離をとることで、図５に示すように、平面視で方形状の収納区画を第１側面パネル１１に沿って形成することができる。
【００６４】
＜利点＞
当該箱用シート２では、第１仕切用パネル２２に、その１辺２２ｆが、第１仕切用パネル２２の幅方向に沿っている切り欠き２２ｄを設けることで、この１辺２２ｆに沿って折り曲げ易くなるので、上記１辺２２ｆの位置に折り曲げ予定線２２ｂを有する箱体７を組み立て易い。
【００６５】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００６６】
上記実施形態では、段ボールシートの中芯の稜線が、仕切部の幅方向に配向されている場合を説明したが、上記稜線の配向方向はこれに限定されず、仕切部の延出方向に配向されていてもよい。この場合、折り曲げ予定線は、例えば仕切部の幅方向に平行な複数の罫線とし、この複数の罫線の中から１の罫線を選択して設定することができる。
【００６７】
上記実施形態では、シート材が段ボールシートである場合を説明したが、当該箱用シートに用いられるシート材としては、当該箱用シートを組み立ててなる箱体の形状を維持できる程度の強度を有する限り、特に限定されるものではない。上記シート材としては、例えば段ボールシートに加え、ボール紙等の紙製シート、合成樹脂製シート、紙製シートと合成樹脂製シートとの積層シート等が挙げられる。ただし、これらの中でも、加工性、衝撃吸収性、取扱性、リサイクル性、経済性等の点から紙製シートが好ましく、製造コストが低く、かつ箱体への組み立てが容易な段ボールシートが特に好ましい。
【００６８】
上記実施形態では、蓋パネルの先端縁から延出する第１差込片及び蓋パネルの幅方向両側の側縁から延出する一対の第２差込片を備える場合を説明したが、第１差込片及び第２差込片の一部又は全部を省略することもできる。
【００６９】
さらに、蓋パネルを備えない箱用シートも本考案の意図するところである。蓋パネルを備えない箱用シートでは、例えば物品の収納後に透明なフィルム等で被覆することで内容物を可視化しつつ、梱包することができる。
【産業上の利用可能性】
【００７０】
以上のように、本考案の箱用シートの仕切部は、箱体内を任意の位置で仕切ることができる。当該箱用シートは、例えばシリーズ展開やオプション品の相違等により収容されるものにバリエーションがある物品の収納に適している。
【符号の説明】
【００７１】
１、２  箱用シート
６、７  箱体
１０  底面パネル
１０ａ  第１側縁
１０ｂ  第２側縁
１０ｃ  孔
１１  第１側面パネル
１１ａ  先端縁
１２  折り込み片
１３  第２側面パネル
１４  接続パネル
１５  折り返しパネル
１５ｃ  突片
１６  仕切用パネル
１６ａ  中敷部
１６ｂ、１６ｅ  折り曲げ予定線
１６ｃ  仕切部
１６ｄ  切断容易線
１７  蓋パネル
１８  第１差込片
１８ａ  係合孔
１９  第２差込片
２０  係合片
２０ａ  基端部
２０ｂ  先端部
２０ｃ  側縁
２０ｄ  基端縁
２０ｅ  境界
２０ｆ  角
２１  緩衝片
２１ａ  境界
２２  第１仕切用パネル
２２ａ  中敷部
２２ｂ、２２ｅ  折り曲げ予定線
２２ｃ  仕切部
２２ｄ  切り欠き
２２ｆ  １辺
２２ｇ  他の辺
２３  第２仕切用パネル
２３ａ  第１仕切部
２３ｂ  第２仕切部
Ｌ１、Ｌ２  距離
【図１】
0003227262.tif 000003
【図２】
0003227262.tif 000004
【図３】
0003227262.tif 000005
【図４】
0003227262.tif 000006
【図５】
0003227262.tif 000007